(57)【要約】【課題】ポーリング用回線の選択処理を行う際に、選択時間を短くするとともに、データ通信を中断することなく、ポーリング信号の送受信を行う。【解決手段】主通信装置１と、副通信装置２，３，４と、主通信装置１と副通信装置２を接続する通信回線Ａａ，Ａｂ，Ａｃと、副通信装置２と副通信装置３を接続する通信回線Ａｄ，Ａｅと、副通信装置２と副通信装置４を接続する通信回線Ａｆ，Ａｇとを備える。ポーリング信号を複数の副通信装置へ同報で行うことにより、複数の副通信装置への回線選択処理を同時に実施すると共に、主通信装置および副通信のインタフェース部の構成を変更することによって、ポーリング信号とデータ信号を多重、分離して、ポーリング用回線の切り替えを行うことなく、ポーリング信号の送受信を行う。【選択図】        図１
2005020084.tif 000002
【特許請求の範囲】
【請求項１】
主通信装置と複数の副通信装置とが複数の通信回線により接続される通信装置において、
前記主通信装置と前記副通信装置間で、前記複数の通信回線を用いてデータ通信を行うと共に、前記主通信装置から、当該主通信装置と前記副通信装置間の状態を監視するためのポーリングを行う手段と、
前記主通信装置から、前記複数の通信回線の中の所定の通信回線を介して前記副通信装置に対して行ったポーリングに対し、当該副通信装置から応答がない場合、複数の通信回線の中から応答がある通信回線を探索する手段と、
前記副通信装置から応答があった通信回線を用いてポーリングを継続する手段と備えることを特徴とする通信装置。
【請求項２】
ポーリングを行う通信回線はデータ通信回線と共用であって、データ通信とポーリングとを同時に行う手段を備えることを特徴とする請求項１記載の通信装置。
【請求項３】
主通信装置から複数の副通信装置へのポーリングを、同報で一斉に行う手段を備えることを特徴とする請求項１または請求項２記載の通信装置。
【請求項４】
複数の通信回線の中から応答のある通信回線を探索する際、主通信装置から副通信装置へのポーリングを、複数の通信回線を用いて行う手段を備えることを特徴とする請求項１から請求項３のうちのいずれか１項記載の通信装置。
【請求項５】
主通信装置は、ポーリングに対する複数の副通信装置からの応答に対し、応答する副通信装置と通信回線、および、応答しない副通信装置と通信回線を集計する手段と、当該集計する手段の集計結果に基づき、副通信装置へのポーリングを何れの通信回線から行うかを決定する手段とを備えることを特徴とする請求項１から請求項４のうちのいずれか１項記載の通信装置。
【発明の詳細な説明】
【０００１】
【発明の属する技術分野】
この発明は、主通信装置と複数の副通信装置に対し、複数の通信回線がツリー状に接続され、主通信装置は使用可能な回線を選択したのちポーリングを行う通信装置に関するものである。
【０００２】
【従来の技術】
従来の主通信装置と複数の副通信装置からなる通信システムでは、主通信装置から副通信装置へのポーリング信号は、夫々の副通信装置に対して個別に送信し、回線選択処理を個別に行っていた。また、ポーリング信号とデータ通信信号を切り替えて送受信していた。
【０００３】
上述したようなシステムでは、制御監視のチェックに時間を要するものであり、この対策として、種々、提案されているところであるが、例えば、ネットワーク管理装置を頂点とする中継装置のツリー構造を生成し、ポーリング制御手段は端末に位置する中継装置に対して、まずポーリングを行い、端末に位置する中継装置から応答が合った場合は、その枝上の他の中継装置へのポーリングを省略するものがある（例えば、特許文献１参照）。
【０００４】
【特許文献１】
特開平６−３７７８２号公報
【０００５】
【発明が解決しようとする課題】
従来技術では、主通信装置からのポーリング信号は、副通信装置へ個別に送信しているため、回線選択処理を個別に行う必要があり、回線選択処理に時間がかかるという課題があった。
また、主通信装置インタフェース部では、ポーリング信号とデータ通信信号を切替えて送受信していたため、ポーリング信号を送受信する場合はデータ通信信号を停止して送受信する必要があり、データ通信が停止してしまうという課題があった。
【０００６】
さらに、特許文献１に開示されているシステムでは、ツリー状構成の末端まで回線が接続されている必要があるものであり、回線に接続されている端末がない場合は適用できないという課題があった。
【０００７】
この発明は上記のような課題を解決するためになされたもので、所定の回線数と同数の副通信装置を使用してポーリング用回線の選択処理を行う際に、選択時間を短くするとともに、データ通信を中断することなく、ポーリング信号の送受信を行う通信装置を得ることを目的とする。
【０００８】
【課題を解決するための手段】
この発明は上記のような課題を解決するためになされたもので、主通信装置と複数の副通信装置とが複数の通信回線により接続される通信装置において、主通信装置と副通信装置間で、複数の通信回線を用いてデータ通信を行うと共に、主通信装置から、主通信装置と副通信装置間の状態を監視するためのポーリングを行う手段と、主通信装置から、複数の通信回線の中の所定の通信回線を介して副通信装置に対して行ったポーリングに対し、副通信装置から応答がない場合、複数の通信回線の中から応答がある通信回線を探索する手段と、副通信装置から応答があった通信回線を用いてポーリングを継続する手段とを備えるものである。
【０００９】
【発明の実施の形態】
この発明の実施の一形態について説明する。
実施の形態１．
この発明の実施の形態１に係る通信装置について、図１および図２を参照して説明する。なお、図１はこの実施の形態１に係る通信装置の構成を示すブロック図であり、図２はこの通信装置のポーリングシーケンスを示す図である。
【００１０】
この実施の形態１に係る通信装置は図１に示すように、主通信装置１と、副通信装置２，３，４と、主通信装置１と副通信装置２を接続する通信回線Ａａ，Ａｂ，Ａｃと、副通信装置２と副通信装置３を接続する通信回線Ａｄ，Ａｅと、副通信装置２と副通信装置４を接続する通信回線Ａｆ，Ａｇとを備えて構成される。なお、ここでは、主通信装置を１台、副通信装置を３台で構成されるものについて示しているが、これらの台数に限るものではない。
【００１１】
主通信装置１は、主通信装置監視部１１と、主通信装置データ通信部１２と、主通信装置インタフェース部１３ａ，１３ｂ，１３ｃとを備え、主通信装置監視部１１と主通信装置インタフェース部１３ａ，１３ｂ，１３ｃとはポーリング信号伝送回線Ｂで接続され、主通信装置データ通信部１２と主通信装置インタフェース部１３ａ，１３ｂ，１３ｃとはデータ通信信号伝送回線Ｃで接続されている。
【００１２】
副通信装置２は、副通信装置監視部２１と、副通信装置データ通信部２２と、副通信装置インタフェース部２３ａ，２３ｂ，２３ｃを備え、副通信装置監視部２１と副通信装置インタフェース部２３ａ，２３ｂ，２３ｃとはポーリング信号伝送回線Ｄで接続され、副通信装置データ通信部２２と副通信装置インタフェース部２３ａ，２３ｂ，２３ｃとはデータ通信信号伝送回線Ｅで接続されている。
【００１３】
また、副通信装置３は、副通信装置監視部３１と、副通信装置データ通信部３２と、副通信装置インタフェース部３３ａ，３３ｂを備え、副通信装置監視部３１と副通信装置インタフェース部３３ａ，３３ｂとはポーリング信号伝送回線Ｆで接続され、副通信装置データ通信部３２と副通信装置インタフェース部３３ａ，３３ｂとはデータ通信信号伝送回線Ｇで接続されている。
【００１４】
同様に、副通信装置４は、副通信装置監視部４１と、副通信装置データ通信部４２と、副通信装置インタフェース部４３ａ，４３ｂを備え、副通信装置監視部４１と副通信装置インタフェース部４３ａ，４３ｂとはポーリング信号伝送回線Ｈで接続され、副通信装置データ通信部４２と副通信装置インタフェース部４３ａ，４３ｂとはデータ通信信号伝送回線Ｉで接続されている。
【００１５】
主通信装置１の主通信装置監視部１１は、副通信装置２，３，４の状態をポーリングにより監視する。また、主通信装置データ通信部１２は、副通信装置データ通信部２２，３２，４２との間でデータ通信を行う。
【００１６】
主通信装置インタフェース部１３ａ，１３ｂ，１３ｃは、主通信装置監視部１１からのポーリング信号と主通信装置データ通信部１２からのデータ信号を多重して副通信装置２，３，４へ送信し、また、副通信装置２，３，４からの信号をポーリング信号とデータ信号に分離し、ポーリング信号は主通信装置監視部１１へ、また、データ信号は主通信装置データ通信部１２へ送信する。
【００１７】
副通信装置２，３，４の副通信装置監視部２１，３１，４１は、主通信装置監視部１１からのポーリングに対し、ポーリング応答を送信する。また、副通信装置データ通信部２２，３２，４２は、主通信装置データ通信部１２との間でデータ通信を行う。
【００１８】
副通信装置２の副通信装置インタフェース部２３ａ，２３ｂ，２３ｃは主通信装置１からの信号をポーリング信号とデータ信号とに分離し、ポーリング信号を副通信装置監視部２１へ、またデータ信号を副通信装置データ通信部２２へ送信する。また、副通信装置監視部２１からのポーリング信号と副通信装置データ通信部２２からのデータ信号を多重して主通信装置１、副通信装置３，４に送信し、主通信装置１と副通信装置間３，４のポーリング信号およびデータ信号を中継する。
【００１９】
副通信装置３の副通信装置インタフェース部３３ａ，３３ｂは副通信装置２からの信号をポーリング信号とデータ信号とに分離し、ポーリング信号を副通信装置監視部３１へ、またデータ信号を副通信装置データ通信部３２へ送信する。また、副通信装置監視部３１からのポーリング信号と副通信装置データ通信部３２からのデータ信号を多重して副通信装置２へ送信する。
【００２０】
副通信装置４の副通信装置インタフェース部４３ａ，４３ｂは副通信装置２からの信号をポーリング信号とデータ信号とに分離し、ポーリング信号を副通信装置監視部４１へ、またデータ信号を副通信装置データ通信部４２へ送信する。また、副通信装置監視部４１からのポーリング信号と副通信装置データ通信部４２からのデータ信号を多重して副通信装置２へ送信する。
【００２１】
次に動作について説明する。
主通信装置１からのポーリング信号は、主通信装置監視部１１にて生成される。この主通信装置監視部１１にて生成されたポーリング信号は、ポーリング信号伝送回線Ｂを経由し、主通信装置インタフェース部１３ａに入力される。また、主通信装置１からのデータ信号は、主通信装置データ通信部１２にて生成される。
【００２２】
主通信装置１の主通信装置データ通信部１２で生成されたデータ信号は、データ通信信号回線Ｃを経由し、主通信装置インタフェース部１３ａに入力される。主通信装置インタフェース部１３ａでは、主通信装置監視部１１で生成されたポーリング信号と、主通信装置データ通信部１２で生成されたデータ通信信号とを多重して、副通信装置２へ送信する。
【００２３】
副通信装置２の副通信装置インタフェース部２３ａ，２３ｂ，２３ｃでは、主通信装置１からの信号に対し、ポーリング信号の場合はポーリング信号伝送回線Ｄを経由して副通信装置監視部２１へ転送し、また、データ通信信号の場合はデータ通信信号回線Ｅを経由し、副通信装置データ通信部２２へ転送する。
【００２４】
ポーリング応答信号は、副通信装置監視部２１にて生成され、ポーリング信号伝送回線Ｄを経由し、副通信装置インタフェース部２３ａ，２３ｂ，２３ｃに入力される。
データ通信信号は、副通信装置データ通信部２２にて生成され、データ通信信号回線Ｅを経由し、副通信装置インタフェース部２３ａ，２３ｂ，２３ｃへ入力される。
【００２５】
副通信装置インタフェース部２３ａ，２３ｂ，２３ｃでは、ポーリング応答信号とデータ通信信号を多重するとともに、他の副通信装置からのポーリング応答信号またはデータ通信信号とを切り替える選択をして、主通信装置１へ送信する。切り替え選択はポーリング応答信号とデータ通信信号の夫々に選択可能である。
【００２６】
主通信装置１では、副通信装置２，３，４からのポーリング応答信号、および、データ通信信号を、主通信装置インタフェース部１３ａ，１３ｂ，１３ｃへ入力する。また、主通信装置インタフェース部１３ａ，１３ｂ，１３ｃでは、ポーリング応答信号の場合は、ポーリング信号伝送回線Ｂを経由し主通信装置監視部１１へ、また、データ通信信号の場合は、データ信号伝送回線Ｃを経由し主通信装置データ通信部１２へ転送する。
【００２７】
次に、ポーリング応答がない場合のポーリング用の回線選択動作について説明する。
図２に示すように、主通信装置１から副通信装置２、副通信装置３、副通信装置４に対し通信回線Ａｃを使って、同報でポーリングを行っていたとする。副通信装置３には通信回線Ａｃを介して通信回線Ａｅで、副通信装置４には通信回線Ａｃを介して通信回線Ａｇで伝達される（（１）の場合）。
【００２８】
しかしここで通信回線Ａｃが回線断となった場合、副通信装置２、副通信装置３、副通信装置４ともポーリング応答が受信できなくなる（（２）の場合）とすると、主通信装置監視部１１では、（３）のように通信回線Ａａ，Ａｂ単位で同報にて、複数の副通信装置、複数の回線に対し、ポーリング信号を送信すると共に、そのポーリング信号に対する応答を集計し、副通信装置２、副通信装置３、副通信装置４に対するポーリング用回線の選択処理を行う。
【００２９】
即ち、（３）の場合、主通信装置１から通信回線Ａａを介して副通信装置２と接続し、さらに通信回線Ａｄを介して副通信装置３に接続される。また、主通信装置１から通信回線Ａｂを介して副通信装置２と接続し、さらに通信回線Ａｆを介して副通信装置４に接続される。従って通信回線Ａｃが切断しても通信回線Ａａ，Ａｂを介して、夫々の副通信装置に対し、同時に同報にてポーリング信号を送信すると共に、そのポーリング信号に対する応答を集計する（（４）の場合）。
【００３０】
以上のように、この発明に係る通信装置は、ポーリング信号およびデータ通信信号の送受信を行うときに、ポーリング信号の複数の副通信装置への同報を行うことにより、複数の副通信装置への回線選択処理を同時に実施する共に、
主通信装置、副通信装置のインタフェース部の構成を変更することによって、ポーリング信号とデータ通信信号を多重、分離し、ポーリング用回線の切り替えを行うことなくポーリング信号の送受信を行うことを可能とするものである。
【００３１】
【発明の効果】
以上のように、この発明によれば、所定の回線数と同数の副通信装置を使用してポーリング用回線の選択処理を行う際に、選択時間を短くするとともに、データ通信を中断することなく、ポーリング信号の送受信を行うことが可能となる。
【図面の簡単な説明】
【図１】この発明の実施の形態１に係る通信装置の構成を示すブロック図である。
【図２】この発明の実施の形態１に係る通信装置のポーリングシーケンスを示す図である。
【符号の説明】
１  主通信装置、２，３，４  副通信装置、１１  主通信装置監視部、１２  主通信装置データ通信部、１３ａ，１３ｂ，１３ｃ  主通信装置インタフェース部、２１，３１，４１  副通信装置監視部、２２，３２，４２  副通信装置データ通信部、２３ａ，２３ｂ，２３ｃ，３３ａ，３３ｂ，４３ａ，４３ｂ  副通信装置インタフェース部、Ａａ，Ａｂ，Ａｃ，Ａｄ，Ａｅ，Ａｆ，Ａｇ  通信回線、Ｂ，Ｄ，Ｆ，Ｈ  ポーリング信号伝送回線、Ｃ，Ｅ，Ｇ，Ｉ  データ通信信号伝送回線。
【図１】
2005020084.tif 000003
【図２】
2005020084.tif 000004